Podtech/llm-jp-corpus-v4-ja_patent huggingface dataset:
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
第１の方向に実質的に平行である複数の第１の糸を含んでなる第１の層、
第２の方向に実質的に平行で第１の糸に対して斜行しまたは片寄っている複数の第２の糸を含んでなる第２の層、
フェルト、織物構造、またはニット構造である少なくとも１つの繊維網状構造層、
第３の方向に実質的に平行で第１の糸および第２の糸に対して斜行しまたは片寄っている複数の第３の糸を含んでなる第３の糸層、
第４の方向に実質的に平行で第１、第２、および第３の糸に対して斜行しまたは片寄っている複数の第４の糸を含んでなる第４の糸層、および
多軸布帛内で横断的に交絡された横断糸
を含んでなり、各層があらゆる逐次順序で配列され、１つまたはそれ以上の層が約−４０〜約０℃の範囲内のＴｇ、および２０℃で約２×１０6〜約１０13ポアズのゼロ剪断溶融粘度を有する高粘度ポリマーで含浸または被覆された、多軸布帛。
【請求項２】
請求項１に記載の布帛を含んでなる被服。
【請求項３】
請求項１に記載の布帛を含んでなる物品。
【手続補正２】
【補正対象書類名】明細書
【補正対象項目名】００７２
【補正方法】変更
【補正の内容】
【００７２】
明瞭さのためにここで別々の実施態様の文脈で述べられる特定の特徴はまた、単一実施態様中で組み合わせて提供されてもよいものと理解される。反対に、簡潔さのために単一実施態様の文脈で述べられる様々な特徴はまた、別々にまたはあらゆる下位の組み合わせで提供されてもよい。
次に、本発明の好ましい態様を示す。
１．第１の方向に実質的に平行である複数の第１の糸を含んでなる第１の層、
第２の方向に実質的に平行で第１の糸に対して斜行しまたは片寄っている複数の第２の糸を含んでなる第２の層、
少なくとも１つの繊維網状構造層、
第３の方向に実質的に平行で第１の糸および第２の糸に対して斜行しまたは片寄っている複数の第３の糸を含んでなる第３の糸層、
第４の方向に実質的に平行で第１、第２、および第３の糸に対して斜行しまたは片寄っている複数の第４の糸を含んでなる第４の糸層、および
多軸布帛内で横断的に交絡された横断糸
を含んでなり、各層があらゆる逐次順序で配列され、場合により約−４０〜約０℃の範囲内のＴｇ、および２０℃で約２×１０6〜約１０13ポアズのゼロ剪断溶融粘度を有する高粘度ポリマーで被覆されてもよい多軸布帛。
２．第１、第２、第３、および第４の糸層の少なくとも１つがアラミド繊維を含んでなる上記１に記載の布帛。
３．アラミド繊維がポリ（ｐ−フェニレンテレフタルアミド）である上記２に記載の布帛。
４．第１、第２、第３、および第４の糸層の少なくとも１つが、ポリピリダゾール繊維を含んでなる上記１に記載の布帛。
５．ポリピリダゾールがポリピリドビスイミダゾールである上記４に記載の布帛。
６．ポリピリダゾールがポリ［２，６−ジイミダゾ［４，５−ｂ：４，５−ｅ］−ピリジニレン−１，４−（２，５−ジヒドロキシ）フェニレン）である上記４に記載の布帛。
７．少なくとも１つの繊維網状構造層がアラミドフェルトを含んでなる上記１に記載の布帛。
８．アラミドがポリ（ｐ−フェニレンテレフタルアミド）である上記７に記載の布帛。
９．アラミドフェルトがポリ（ｐ−フェニレンテレフタルアミド）ステープルファイバーを含んでなる上記７に記載の布帛。
１０．横断糸が、ポリエステル、ポリエチレン、ポリアミド、アラミド、ポリアレーンアゾール、ポリピリダゾール、またはポリピリドビスイミダゾールの繊維を含んでなる上記１に記載の布帛。
１１．少なくとも１つの層が、−４０〜約０℃の範囲内であるＴｇと、２０℃で約２×１０6〜約１０13ポアズのゼロ剪断溶融粘度とを有する高粘度ポリマーで被覆される上記１に記載の布帛。
１２．少なくとも１つの繊維網状構造層が、織布、不織、またはニット構造である上記１に記載の布帛。
１３．少なくとも１つの繊維網状構造層が織布構造である上記１に記載の布帛。
１４．少なくとも１つの繊維網状構造層が不織構造である上記１に記載の布帛。
１５．少なくとも１つの繊維網状構造層がニット構造である上記１に記載の布帛。
１６．上記１に記載の布帛を含んでなる被服。
１７．上記１に記載の布帛を含んでなる物品。
１８．第１の方向に実質的に平行である複数の第１の糸を含んでなる第１の層を提供するステップと、
第２の方向に実質的に平行で第１の糸に対して斜行しまたは片寄っている複数の第２の糸を含んでなる第２の層を提供するステップと、
少なくとも１つの繊維網状構造層を提供するステップと、
第３の方向に実質的に平行で第１の糸および第２の糸に対して斜行しまたは片寄っている複数の第３の糸を含んでなる第３の糸層を提供するステップと、
第４の方向に実質的に平行で第１、第２、および第３の糸に対して斜行しまたは片寄っている複数の第４の糸を含んでなる第４の糸層を提供するステップと、
層を統合シート構造中に統合するステップと、
複数統合シート構造を共に結合するステップと
を含んでなる布帛を製造する方法。
１９．第１、第２、第３、および第４の糸層の少なくとも１つがアラミド繊維を含んでなる上記１８に記載の方法。
２０．第１、第２、第３、および第４の糸層の少なくとも１つが、ポリ［２，６−ジイミダゾ［４，５−ｂ：４，５−ｅ］−ピリジニレン−１，４−（２，５−ジヒドロキシ）フェニレン］繊維を含んでなる上記１９に記載の方法。
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
１つ以上の樹脂シートであって各々の樹脂シートが樹脂で含浸された繊維芯を含む樹脂シート；および
１つ以上の樹脂シートにより積層された少なくとも１つの樹脂で被覆された低プロフィールの銅シートを含み、樹脂で被覆された低プロフィールの銅シートが約０．５から約３．５ミクロンの粗さの少なくとも１つのサイドを有する低プロフィールの銅の層と、約０．５から約３．５ミクロンの粗さを有する低プロフィールの銅シートの少なくとも１つのサイドに適用された低誘電損失の樹脂の層を更に含んでなり、
樹脂ギャップが芯材料を低プロフィールの銅層から分割する積層板。
【請求項２】
芯材料がガラス織布である、請求項１に記載の積層板。
【請求項３】
樹脂シートがＣ段階の樹脂を含有する積層板である、請求項１に記載の積層板。
【請求項４】
樹脂シートと樹脂で被覆された低プロフィールの銅シートの間に配置された樹脂層を含む、請求項１に記載の積層板。
【請求項５】
樹脂層が液体の樹脂層とＢ段階の樹脂シートから選択される、請求項４に記載の積層板。
【請求項６】
請求項１に記載の少なくとも１つの積層板を含む、印刷回路基板。
【請求項７】
樹脂シートが織繊維芯材料を含むプレプレグである、請求項１に記載の積層板。
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
密閉されている第１の端部と開口部を備える第２の端部とを有し、充填時に変形によって前記開口部を介して内容物を分配することができる可変形分配チューブであって、
該チューブは、チューブ内部を移動可能な分配装置を含み、該分配装置は充填中に内容物が概ね前記分配装置と前記開口部との間に配置されるように位置しており、ユーザが前記チューブに外圧を付加する際に、内容物を前記開口部を介して分配することができ、
また前記分配装置は中空で流体が充填されており、前記チューブ内で内容物と接触し且つ前記チューブの内容物と前記分配装置内の流体との間で圧力を伝達するように配置された装置頭部と、前記分配装置と前記チューブとの間を密封するための密封部とを含み、
前記装置頭部及び前記密封部の厚さと材質は、前記チューブに外圧を付加した際に前記チューブの内容物と前記分配装置内の流体とにかかる圧力が増加して内容物を分配し且つ前記密封部が前記チューブの内側面に増加した圧力を付加することができる十分な可撓性を有していて、使用時に前記分配装置が前記チューブ内部を移動して前記チューブが変形したときに一貫した密封を形成し且つ維持することができることを特徴とする可変形分配チューブ。
【請求項２】
前記装置頭部は前記開口部方向に変形可能であり、前記チューブに付加された外圧が前記分配装置に付加されることによって、前記流体が前記装置頭部を前記開口部方向に変形させ、これによって前記開口部を介して内容物を分配するために前記内容物に増加した圧力を付加することができることを特徴とする請求項１に記載のチューブ。
【請求項３】
前記チューブの内容物への外圧の付加は、前記装置頭部の変形によって前記チューブの密閉された第１の端部の方へ伝達され、前記分配装置内の流体によって前記密封部は前記分配チューブの内側面に増加された圧力を付加し、内容物の分配時に前記分配装置と前記内側面との間に内容物が流出することを防止することを特徴とする請求項２に記載のチューブ。
【請求項４】
ユーザが前記分配装置の位置又はその付近の位置で前記チューブに外圧を付加したとき、前記密封部によって前記チューブの内側面に付加された圧力が増加されることによって前記分配装置内の流体の圧力が増加し、またユーザが前記分配装置から離れた部分でチューブに外圧を付加したとき、前記チューブの内容物にかかる圧力が増加して前記分配装置内の流体に伝達されることを特徴とする請求項１乃至３のいずれか一項に記載のチューブ。
【請求項５】
前記分配装置は弾性であり、外圧から解放されたときに前記分配装置は非変形の状態にもどることを特徴とする請求項１乃至４のいずれか一項に記載のチューブ。
【請求項６】
前記装置頭部が弾性で非変形状態に戻ったときに、チューブ内の内容物の内圧が減少し、前記開口部に位置している内容物がチューブ内部に後退することを特徴とする請求項５に記載のチューブ。
【請求項７】
前記分配装置は前記チューブ内を摺動移動するように収容されており、前記装置頭部が前記開口部に向かって変形したときに前記分配装置における前記外圧の付加によって、前記分配装置は内容物分配のために開口部に向かって摺動移動することを特徴とする請求項１乃至６のいずれか一項に記載のチューブ。
【請求項８】
前記分配装置は、前記分配装置が前記開口部へ向かって移動することを許容し、前記分配装置が前記チューブの密閉された第１の端部へ移動することを防止する戻り防止手段を含むことを特徴とする請求項７に記載のチューブ。
【請求項９】
前記戻り防止手段は、前記チューブの内側面を押圧して前記分配装置が前記チューブの密閉された第１の端部へ移動することを防止するようになされていることを特徴とする請求項８に記載のチューブ。
【請求項１０】
前記装置頭部は、使用時に前記分配装置が前記第２の端部へ移動し且つ前記装置頭部が前記開口部に向かって変形するときに前記第２の端部においてチューブの内部形状となるように成型されていることを特徴とする請求項１乃至９のいずれか一項に記載のチューブ。
【請求項１１】
前記装置頭部は、前記開口部に入るように変形することができ、これによって前記開口部にある内容物を分配することができることを特徴とする請求項１０に記載のチューブ。
【請求項１２】
前記分配装置は、前記チューブの第１の端部側にある端部が、前記チューブの前記第１の端部位置の内部断面と適合するように成型されていることを特徴とする請求項１乃至１１に記載のチューブ。
【請求項１３】
前記装置頭部は、該装置頭部から前記チューブの第１の端部に向かって延在する装置尾部に接続されており、該装置尾部の断面領域は前記装置頭部からその端部へ前記チューブの第１の端部に向かって減少していることを特徴とする請求項１乃至１２に記載のチューブ。
【請求項１４】
前記分配装置は流体を含む外皮を有することを特徴とする請求項１乃至１３に記載のチューブ。
【請求項１５】
前記流体はガスであることを特徴とする請求項１乃至１４に記載のチューブ。
【請求項１６】
前記流体は液体であることを特徴とする請求項１乃至１４に記載のチューブ。
【請求項１７】
前記流体はゲルであることを特徴とする請求項１乃至１４に記載のチューブ。
【請求項１８】
前記流体は内圧で前記分配装置内に含まれることを特徴とする請求項１乃至１７に記載のチューブ。
【請求項１９】
請求項１乃至１８のいずれか一項に記載の分配チューブ用の分配装置。
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
フィラメントの束を保持するためのマルチコンパートメント化コンテナであって、
ａ．複数のウェルを有する受容セクションと、
ｂ．前記受容セクションのためのカバーと
を含むことを特徴とするマルチコンパートメント化コンテナ。
【請求項２】
前記受容セクションと前記カバーとを連結するヒンジをさらに含むことを特徴とする請求項１に記載のマルチコンパートメント化コンテナ。
【請求項３】
前記カバーが、前記カバーが所定位置にあるとき、前記カバー内の複数のウェルの各々の開口端部が、前記受容セクション内の対応するウェルの開口端部と整列されて、フィラメント束を保持するための容器を形成するように、アレイで前記複数のウェルを含み、前記カバーの前記ウェルが深さを有し、前記受容セクションの前記ウェルが深さを有することを特徴とする請求項１に記載のマルチコンパートメント化コンテナ。
【請求項４】
前記受容セクションの前記ウェルが、前記ウェルの基部で始まり前記ウェルの側面を軸方向に上に延在するリブを含み、該リブが該リブの最も幅広い部分が前記ウェルの基部にあるようにテーパされることを特徴とする請求項１に記載のマルチコンパートメント化コンテナ。
【手続補正２】
【補正対象書類名】明細書
【補正対象項目名】００３６
【補正方法】変更
【補正の内容】
【００３６】
したがって、本発明によって、上に述べた目的および利点を十分に満たす、フィラメント束を保護するためのコンテナを提供したことが明らかである。本発明を、その特定の実施形態と関連して説明したが、多くの代替例、修正例、および変更例が当業者には明らかであろうことが明白である。したがって、添付の特許請求の範囲の精神および広い範囲内にあるそのような代替例、修正例、および変更例をすべて包含することが意図される。
以下に、本発明の好ましい態様を示す。
［１］  フィラメントの束を保持するためのマルチコンパートメント化コンテナであって、ａ．複数のウェルを有する受容セクションと、ｂ．前記受容セクションのためのカバーと
を含むことを特徴とするマルチコンパートメント化コンテナ。
［２］  前記受容セクションと前記カバーとを連結するヒンジをさらに含むことを特徴とする［１］に記載のマルチコンパートメント化コンテナ。
［３］  前記カバーが、前記カバーが所定位置にあるとき、前記カバー内の複数のウェルの各々の開口端部が、前記受容セクション内の対応するウェルの開口端部と整列されて、フィラメント束を保持するための容器を形成するように、アレイで前記複数のウェルを含み、前記カバーの前記ウェルが深さを有し、前記受容セクションの前記ウェルが深さを有することを特徴とする［１］に記載のマルチコンパートメント化コンテナ。
［４］  前記受容セクション内の前記ウェルの深さが、前記フィラメント束内に含まれるフィラメント全長の少なくとも６６％であることを特徴とする［１］に記載のマルチコンパートメント化コンテナ。
［５］  前記カバー内の前記ウェルの深さが、前記フィラメント束内に含まれるフィラメント全長の０〜３３％であることを特徴とする［３］に記載のマルチコンパートメント化コンテナ。
［６］  前記受容セクション内および前記カバー内の前記ウェルが、少なくとも３０ｍｍの直径を有することを特徴とする［１］に記載のマルチコンパートメント化コンテナ。
［７］  前記フィラメント束が複数のフィラメントを含み、前記フィラメントが先端加工されることを特徴とする［１］に記載のマルチコンパートメント化コンテナ。
［８］  前記コンテナが熱可塑性材料から形成されることを特徴とする［１］に記載のマルチコンパートメント化コンテナ。
［９］  前記熱可塑性材料が、ＰＥＴ、ＰＥＴＧ、ＨＩＰＳ、ＯＰＳ、ＰＶＣ、ＰＣ、ＰＭＭＡ、およびＰＰからなる群から選択されることを特徴とする［８］に記載のマルチコンパートメント化コンテナ。
［１０］  前記コンテナが、真空成形、熱成形、または射出成形されることを特徴とする［８］に記載のマルチコンパートメント化コンテナ。
［１１］  前記受容セクションの前記ウェルが、前記ウェルの基部で始まり前記ウェルの側面を軸方向に上に延在するリブを含むことを特徴とする［１］に記載のマルチコンパートメント化コンテナ。
［１２］  前記軸方向に延在するリブが、前記リブの最も幅広い部分が前記ウェルの基部にあるようにテーパされることを特徴とする［１１］に記載のマルチコンパートメント化コンテナ。
［１３］  前記コンテナが、前記カバーを前記受容セクションに固定するために、協働型プレススタッド結合装置を含むことを特徴とする［３］に記載のマルチコンパートメント化コンテナ。
［１４］  ［３］に記載のコンテナから、テーパされたフィラメント束を取外すための方法であって、ａ．前記受容セクションが上にあり、前記カバーが下にあるように、前記コンテナを逆にする工程と、ｂ．前記カバーを開けるか取外すことによって、前記フィラメント束を露出する工程と、ｃ．前記束を、前記カバーのウェルから突出する端部によって把持する工程とを含むことを特徴とする方法。
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
少なくとも１つの式（Ｉ）の化合物を、少なくとも１つの式（ＩＩ）の化合物に転化させることを含んでなるフッ素化有機化合物の調製方法：
ＣＦ３ＣＦｎＣＨｍＸａ−ｍ  （Ｉ）
ＣＦ３ＣＺ＝ＣＨＺ  （ＩＩ）
式中、Ｘはそれぞれ独立にＣｌ、ＩまたはＢｒであり；Ｚはそれぞれ独立にＨまたはＦであり；ｎは１または２で；ｍは１、２または３である、ただし、ｎが１のとき、ｍは１または２である；ａは２または３であり、かつａ−ｍ≧０である。
【請求項２】
（ａ）少なくとも１つの式（Ｉ）の化合物を効果的に製造する条件下で、フッ素化Ｃ２オレフィンと付加剤を反応させること；および
（ｂ）少なくとも１つの該式（Ｉ）の化合物を少なくとも１つの式（ＩＩ）の化合物に転化すること、を含んでなるフッ素化有機化合物の調製方法：
ＣＦ３ＣＦｎＣＨｍＸａ−ｍ  （Ｉ）
ＣＦ３ＣＺ＝ＣＨＺ  （ＩＩ）
式中、Ｘはそれぞれ独立にＣｌ、ＩまたはＢｒであり；Ｚはそれぞれ独立にＨまたはＦであり；ｎは１または２で；ｍは１、２または３である、ただし、ｎが１のとき、ｍは１または２である；ａは２または３であり、かつａ−ｍ≧０である。
【請求項３】
該フッ素化Ｃ２オレフィンが式（ＩＩＩ）の化合物を含み、かつ該付加剤が式（ＩＶ）の化合物である、請求項２の方法：
ＣＹ２＝ＣＹ２（ＩＩＩ）
式中、Ｙはそれぞれ独立にＨ、Ｆ、Ｃｌ、ＩまたはＢｒである、ただし、各炭素原子上に少なくとも１つのＦが存在する：
ＣＨｍＹａ−ｍ  （ＩＶ）
式中、ｍは１、２または３であり；ａは２または３で、ａ−ｍ≧０である。
【手続補正書】
【提出日】平成21年12月4日(2009.12.4)
【手続補正１】
【補正対象書類名】特許請求の範囲
【補正対象項目名】請求項１
【補正方法】変更
【補正の内容】
【請求項１】
アルカリ性活性化化合物、および
複数の改質ケイ酸質粒子であり、それぞれの改質ケイ酸質粒子が、化学薬品により形態学的に変化を受けている第１の領域を有し、該第１の領域が粒子の体積の０．１％〜９０％である改質ケイ酸質粒子
を含む凝結性複合材料用の多機能添加剤組成物。
【手続補正２】
【補正対象書類名】特許請求の範囲
【補正対象項目名】請求項２８
【補正方法】変更
【補正の内容】
【請求項２８】
前記多機能添加剤が、複合材料の硬化速度を、多機能添加剤を含まない同じ複合材料と比較して５％〜１００，０００％速める、請求項２３に記載の複合材料。
【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
多数の細孔を含む炭素含有無機前駆物質から製造される炭素組成物であって、多数の前記細孔は約４〜約５０ｎｍの特性寸法を有し、ここで前記組成物は、流体から１種または２種以上の粒子を吸着する、前記炭素組成物。
【請求項２】
多数の細孔を含む炭素含有無機前駆物質から製造される炭素組成物を含む、吸着システムであって、多数の前記細孔は約４〜約５０ｎｍの特性寸法を有し、ここで前記組成物は、流体から１種または２種以上の粒子を吸着する、前記吸着システム。
【請求項３】
粒子を有する流体から粒子を吸着するための方法であって、前記流体を、多数の細孔を含む炭素含有無機前駆物質から製造される炭素組成物と接触させることを含み、多数の前記細孔は、約４〜約５０ｎｍの特性寸法を有する、前記方法。
【請求項４】
細孔を有し、該細孔の少なくとも４０％が５〜約５０ｎｍの特性寸法を有する炭素組成物を作製する方法であって、
炭素含有無機前駆物質を加熱すること；および、
前記加熱の間、前記無機前駆物質をハロゲン化すること、
を含む、前記方法。
【請求項５】
請求項４に記載の方法により作製される、多孔質炭素。
【手続補正２】
【補正対象書類名】明細書
【補正対象項目名】００１０
【補正方法】変更
【補正の内容】
【００１０】
本発明の１つの側面により、流体から粒子を吸着するのに有用な炭素組成物が提供される。１つの態様において、多数の細孔を含む炭素含有無機前駆物質から製造される炭素組成物であって、多数の前記細孔は約４〜約５０ｎｍの特性寸法（characteristic dimension）を有し、ここで前記組成物は、流体から１種または２種以上の粒子を吸着する、前記炭素組成物が提供される。
【手続補正３】
【補正対象書類名】明細書
【補正対象項目名】００１１
【補正方法】変更
【補正の内容】
【００１１】
本発明の他の側面は、カーバイド由来の炭素組成物を含む、吸着システムを含む。１つの態様において、多数の細孔を含む炭素含有無機前駆物質から製造される炭素組成物を含む、吸着システムであって、多数の前記細孔は約４〜約５０ｎｍの特性寸法を有し、ここで前記組成物は、流体から１種または２種以上の粒子を吸着する、前記吸着システムが提供される。
【手続補正４】
【補正対象書類名】明細書
【補正対象項目名】００１２
【補正方法】変更
【補正の内容】
【００１２】
本発明のさらなる側面は、粒子を含む流体から粒子を吸着するための方法を含む。１つの態様において、粒子を有する流体から粒子を吸着するための方法であって、前記流体を、多数の細孔を含む炭素含有無機前駆物質から製造される炭素組成物と接触させることを含み、多数の前記細孔は、約４〜約５０ｎｍの特性寸法を有する、前記方法が提供される。
【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
被験体に存在しているままで非ゼロスピン核を含む固体造影剤を過分極するためのシステムであって：
磁場を生成し得るデバイスと；
被験体に貫通し得、かつ該固体造影剤内で不対電子を生成し得る、放射線の第一の供給源と；
放射線の該第一の供給源によって生成されている加えられた磁場で不対電子を分極するための放射線の第二の供給源と；
を備える、システム。
【請求項２】
請求項１に記載のシステムであって、前記デバイスが、加えられた場を約１〜１００ｍＴの範囲で生じ；放射線の前記第二の供給源が、約５０ＭＨｚ〜３ＧＨｚの範囲の周波数を有するシステム。
【請求項３】
請求項１に記載のシステムであって、放射線の前記第一の供給源が、約１〜２ｅＶの範囲のエネルギーを有するシステム。
【請求項４】
前記固体造影剤が、１２９Ｘｅ、２９Ｓｉ、３１Ｐ、１９Ｆ、１５Ｎ、１３Ｃ、１１Ｂおよび１０Ｂからなる群より選択される非ゼロスピン核を含む、請求項１に記載のシステム。
【請求項５】
前記２９Ｓｉ核が天然存在度のレベルで存在する、請求項４に記載のシステム。
【請求項６】
前記２９Ｓｉ核が天然存在度のレベルより低く存在する、請求項４に記載のシステム。
【請求項７】
前記２９Ｓｉ核が天然存在度のレベルより高く存在する、請求項４に記載のシステム。
【請求項８】
前記固体造影剤が２９Ｓｉ核をケイ素材料中に含む、請求項１に記載のシステム。
【請求項９】
前記固体造影剤が、２９Ｓｉ核をシリカ材料中に含む、請求項１に記載のシステム。
【請求項１０】
前記固体造影剤が、１３Ｃ核を炭素材中に含む、請求項１に記載のシステム。
【請求項１１】
前記固体造影剤が、３１Ｐ核をケイ素材料中に含む、請求項１に記載のシステム。
【請求項１２】
前記固体造影剤が、１０Ｂおよび／または１１Ｂ核をケイ素材料中に含む、請求項１に記載のシステム。
【請求項１３】
前記固体造影剤が、１５Ｎ核を炭素材中に含む、請求項１に記載のシステム。
【請求項１４】
前記炭素材が内包フラーレンである、請求項１３に記載のシステム。
【請求項１５】
非ゼロスピン核のＴ１時間が１時間よりも大きい、請求項１に記載のシステム。
【請求項１６】
前記固体造影剤が前記被験体に粒子の形態で投与される、請求項１に記載のシステム。
【請求項１７】
前記粒子が１０ｎｍから１０μｍの範囲の寸法を有する、請求項１６に記載のシステム。
【請求項１８】
前記固体造影剤が、粒子の懸濁物の形態で前記被験体に投与される、請求項１に記載のシステム。
【請求項１９】
前記固体造影剤が、過分極の時点で前記被験体の内腔内に存在する請求項１に記載のシステム。
【請求項２０】
前記固体造影剤が、過分極の時点で前記被験体の循環系内に存在する請求項１に記載のシステム。
【請求項２１】
前記固体造影剤が、過分極の時点で前記被験体の組織内に存在する請求項１に記載のシステム。
【請求項２２】
請求項１に記載のシステムであって、
前記固体造影剤が前記被験体内に存在する間、前記過分極した非ゼロスピン核を検出するための検出器、をさらに備える、システム。
【請求項２３】
前記被験体内の前記固体造影剤の空間分布が磁気共鳴画像化によって画像化される、請求項２２に記載のシステム。
【請求項２４】
前記被験体内の固体造影剤の空間分布が経時的にモニターされる、請求項２３に記載のシステム。
【請求項２５】
過分極および検出のために、異なる磁場強度が使用される、請求項２２に記載のシステム。
【請求項２６】
前記固体造影剤が、細胞の表面上に存在する抗原と結合する標的化因子と会合される、請求項１に記載のシステム。
【請求項２７】
前記標的化因子が、前記細胞の表面に存在する抗原についての抗体または抗体の免疫反応性フラグメントである、請求項２６に記載のシステム。
【請求項２８】
前記標的化因子が、リガンドであり、かつ前記細胞の表面上に存在する前記抗原が該リガンドについてのレセプターである、請求項２６に記載のシステム。
【請求項２９】
請求項１に記載のシステムであって、前記放射線の第二の供給源が、ｆｅ±ｆｎの範囲で周波数ｆｉを有し、ｆｅが前記不対電子のラーモア回転数であり、かつｆｎが前記非ゼロスピン核のラーモア回転数である、システム。
【請求項３０】
前記固体造影剤が、ｎ型の不純物でドープされる、請求項１に記載のシステム。
【請求項３１】
前記固体造影剤が、ｐ型の不純物でドープされる、請求項１に記載のシステム。
【請求項３２】
請求項１に記載のシステムであって、前記固体造影剤が、不対電子を生成するための放射線の前記第一の形態を吸収する第一の材料と、非ゼロスピン核およびゼロスピン核を含む、第二の材料とを含むハイブリッド材料である、システム。
【請求項３３】
前記第一の材料がケイ素を含む、請求項３２に記載のシステム。
【請求項３４】
前記第一および第二の材料が、前記固体造影剤内に均一に分布される、請求項３２に記載のシステム。
【請求項３５】
前記第一および第二の材料が、前記固体造影剤内に不均一に分布される、請求項３２に記載のシステム。
【請求項３６】
前記第一の材料が、前記第二の材料のコアを囲むシェルを形成する、請求項３２に記載のシステム。
【請求項３７】
前記第一および第二の材料が、隣接する層として配置される、請求項３２に記載のシステム。
【請求項３８】
前記第二の材料の非ゼロスピン核のＴ１時間が１時間より大きい、請求項３２に記載のシステム。
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
複数の疾患関連プロテインキナーゼの活性の調節を、それを必要としている被検者においてする組成物であって、ここで前記プロテインキナーゼ調節は、該被検者の健康にとって有益であり、アルファ酸、ベータ酸、プレニルフラボノイド、カルコン、イソアルファ酸、還元イソアルファ酸、使用済ホップ（spent hops）、及びアカシア由来の化合物又は抽出物からなる群より選択される化合物を含んでなる組成物の治療有効量を含んでなる、前記組成物。
【請求項２】
必要としている被検者が、自己免疫障害、アレルギー又は炎症障害、代謝症候群又は糖尿病関連障害、癌、眼障害、心臓血管系疾患、及び神経系障害からなる群より選択される状態を有する、請求項１の組成物。
【請求項３】
疾患関連プロテインキナーゼが、ＡＢＬ、ＡＫＴ、ＡＭＰＫ、ＡＵＲＯＲＡ、ＢＴＫ、ＣＡＭＫ、ＣＤＫ、ＣＨＫ、ＣＳＫ、ＤＢＦ２／２０、ＥＧＦＲ、ＥＰＨ／ＥＬＫ／ＥＣＫ、ＥＲＫ／ＭＡＰＫＦＧＦＲ、ＧＳＫ３、ＩＧＦ−１Ｒ、ＩＫＫＢ、ＩＮＳＲ、ＪＡＫ  ＤＯＭ  １／２、ＭＡＲＫ／ＰＲＫＡＡ、ＭＥＫ／ＳＴＥ７、ＭＥＫＫ／ＳＴＥ１１、ＭＬＫ、ｍＴＯＲ、ＰＡＫ／ＳＴＥ２０、ＰＤＧＦＲ、ＰＩ３Ｋ、ＰＫＣ、ＰＯＬＯ、ＳＲＣ、ＴＥＣ／ＡＴＫ、及びＺＡＰ／ＳＹＫからなる群より選択される、請求項１の組成物。
【請求項４】
アルファ酸が、フムロン、コフムロン、アドフムロン、プレフムロン、及びポストフムロンからなる群より選択される、請求項１の組成物。
【請求項５】
ベータ酸が、ルプロン、コルプロン、アドルプロン、及びプレルプロンからなる群より選択される、請求項１の組成物。
【請求項６】
イソアルファ酸が、イソフムロン、イソアドフムロン、及びイソコフムロンからなる群より選択される、請求項１の組成物。
【請求項７】
還元イソアルファ酸が、ジヒドロ−イソフムロン、ジヒドロ−イソコフムロン、ジヒドロ−アドフムロン、テトラヒドロ−イソフムロン、テトラヒドロ−イソコフムロン、テトラヒドロ−アドフムロン、ヘキサヒドロ−イソフムロン、ヘキサヒドロ−イソコフムロン、ヘキサヒドロ−アドフムロン、及びｒｈｏ−イソアルファ酸からなる群より選択される、請求項１の組成物。
【請求項８】
カルコンが、キサントフモール又はイソキサントフモールである、請求項１の組成物。
【請求項９】
プレニルフラボノイドが、６−プレニルナリンゲニン又は８−プレニルナリンゲニンである、請求項１の組成物。
【請求項１０】
アカシア由来の化合物又は抽出物が、Acacia catechu 又は Acacia nilotica に由来する、請求項１の組成物。
【請求項１１】
Acacia catechu 又は Acacia nilotica の化合物が、ゴム樹脂、樹皮粉末、芯材粉末、及び Acacia catechu 又は Acacia nilotica 抽出物からなる群より選択される、請求項１の組成物。
【請求項１２】
Acacia catechu 又は Acacia nilotica 抽出物が、酸性、アルカリ性、極性溶媒、非極性溶媒、及び胃液の抽出物より選択される、請求項１の組成物。
【請求項１３】
コーティング剤、等張剤及び吸収遅延剤、結合剤、接着剤、滑沢剤、崩壊剤、着色剤、芳香剤、甘味剤、吸収剤、界面活性剤（detergents）、及び乳化剤からなる群より選択される医薬的に許容される賦形剤をさらに含む、請求項１〜１２のいずれか１項の組成物。
【請求項１４】
抗酸化薬、ビタミン、無機物、タンパク質、脂肪、及び炭水化物からなる群より選択される１以上の成分（members）をさらに含む、請求項１３の組成物。
【請求項１５】
ロシグリタゾン、トログリタゾン、ピオグリタゾン、及びメトホルミンからなる群より選択される抗糖尿病薬をさらに含む、請求項１の組成物。
【請求項１６】
複数の代謝症候群関連プロテインキナーゼの活性の調節を、それを必要としている被検者においてする組成物であって、ここで前記プロテインキナーゼ調節は、該被検者の健康にとって有益であり、５：１比のｒｈｏ−イソアルファ酸と Acacia nilotica 芯材粉末抽出物を含んでなる組成物の治療有効量を含んでなる、前記組成物。
【請求項１７】
複数の眼障害関連プロテインキナーゼの活性の調節を、それを必要としている被検者においてする組成物であって、ここで前記プロテインキナーゼ調節は、該被検者の健康にとって有益であり：
ａ．約１ｍｇ〜約１０００ｍｇのビタミンＣ；
ｂ．約１ＩＵ〜約１０００ＩＵのビタミンＥ；
ｃ．約０．１ｍｇ〜約２．５ｍｇのセレン；
ｄ．約１ｍｇ〜約５０ｍｇの亜鉛；
ｅ．約０．１ｍｇ〜約１０ｍｇの銅；
ｆ．約１ｍｇ〜約１５ｍｇのルテイン；
ｇ．約０．０５ｍｇ〜約１ｍｇのゼアキサンチン；及び
ｈ．約１ｍｇ〜約１０００ｍｇの Acacia nilotica 芯材粉末抽出物を含んでなる組成物の治療有効量を含んでなる、前記組成物。
【請求項１８】
複数の癌関連プロテインキナーゼの活性の調節を、それを必要としている被検者においてする組成物であって、ここで前記プロテインキナーゼ調節は、該被検者の健康にとって有益であり：
ａ．約０．０１ｍｇ〜約１０，０００ｍｇのキサントフモール；
ｂ．約０．０１ｍｇ〜約１０，０００ｍｇのＴＨＩＡＡ；
ｃ．約０．０１ｍｇ〜約１０，０００ｍｇのＨＨＩＡＡ；
ｄ．約０．０１ｍｇ〜約１０，０００ｍｇのＲＩＡＡ；
ｅ．約０．０１ｍｇ〜約１０，０００ｍｇのＩＡＡ；
ｆ．約０．０１ｍｇ〜約１０，０００ｍｇのベータ酸；及び
ｇ．約０．０１ｍｇ〜約１０，０００ｍｇのアルファ酸からなる群より選択される少なくとも１つの成分の治療有効量を含んでなる、前記組成物。
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
記憶機能障害に苦しむ被験体を治療するための医薬の製造における、構造:
2009518431.tif 000001
式中のY1、Y2、Y3およびY4の各々は、独立して、-H；直鎖もしくは分枝鎖C1〜C7アルキル、モノフルオロアルキルもしくはポリフルオロアルキル；直鎖もしくは分枝鎖C2〜C7アルケニルもしくはアルキニル；C3〜C7シクロアルキルもしくはC5〜C7シクロアルケニル；-F、-Cl、-Brもしくは-I；-NO2；-N3；-CN；-OR4、-SR4、-OCOR4、-COR4、-NCOR4、-N(R4)2、-CON(R4)2もしくは-COOR4；アリールもしくはヘテロアリールであるか；または隣接する炭素原子上に存在するY1、Y2、Y3およびY4のいずれか２つがメチレンジオキシ基を構成し得る;
式中の各R4は、独立して、-H；直鎖もしくは分枝鎖C1〜C7アルキル、モノフルオロアルキルもしくはポリフルオロアルキル；直鎖もしくは分枝鎖C2〜C7アルケニルもしくはアルキニル；C3〜C7シクロアルキル、C5〜C7シクロアルケニル、アリールもしくはアリール(C1〜C6)アルキルである;
式中のAはA’、直鎖または分枝鎖C1〜C7アルキル、アリール、ヘテロアリール、アリール(C1〜C6)アルキルまたはヘテロアリール(C1〜C6)アルキルである;
式中のA’は
2009518431.tif 000002
である；
式中のR1およびR2は、各々独立して、-H、直鎖もしくは分枝鎖C1〜C7アルキル、-F、-Cl、-Br、-I、-NO2または-CNである;
式中のR3は、-H、直鎖もしくは分枝鎖C1〜C7アルキル、-F、-Cl、-Br、-I、-NO2、-CN、-OR6アリールまたはヘテロアリールである;
式中のR5は、直鎖もしくは分枝鎖C1〜C7アルキル、-N(R4)2、-OR6またはアリールである;
式中のR6は、直鎖もしくは分枝鎖C1〜C7アルキルまたはアリールである;
式中のBは、アリールまたはヘテロアリールである；しかしながら、Bがアリールまたはヘテロアリールである場合、イミン結合の窒素原子に対してオルト位の１つの炭素原子または複数の炭素原子のみが、以下：-H、-F、-Cl、-Br、-I、-CN、メチル、エチルまたはメトキシのうちの１つ以上で置換され得るものとする;
式中の各nは、独立して、両端を含む1〜4の整数である、
を有する化合物であって、純粋なZイミン異性体、純粋なEイミン異性体またはZイミン異性体およびEイミン異性体の混合物である化合物、
または薬学的に許容され得るその塩の使用。
【請求項２】
化合物がエナンチオマー的および/またはジアステレオマー的に純粋である、請求項１記載の使用。
【請求項３】
化合物が純粋なZイミン異性体である、請求項１記載の使用。
【請求項４】
化合物が純粋なEイミン異性体である、請求項１記載の使用。
【請求項５】
化合物がZイミン異性体およびEイミン異性体の混合物である、請求項１記載の使用。
【請求項６】
化合物が、構造:
2009518431.tif 000003
式中のY1、Y2、Y3およびY4の各々が、独立して、-H；直鎖もしくは分枝鎖C1〜C7アルキル、-CF3、-F、-Cl、-Br、-I、-OR4、-N(R4)2または-CON(R4)2である;
式中の各R4は、独立して、H、直鎖もしくは分枝鎖C1〜C7アルキル、-CF3またはフェニルである;
式中のAはA’、直鎖もしくは分枝鎖C1〜C7アルキル、アリール、ヘテロアリール、アリール(C1〜C6)アルキルまたはヘテロアリール(C1〜C6)アルキルである；ならびに
式中のA’は
2009518431.tif 000004
である、
を有する、請求項１〜５いずれか記載の使用。
【請求項７】
Bがアリールである、請求項６記載の使用。
【請求項８】
Bがフェニルであり、該フェニルは、以下：-H；-F、-Cl、-Br、-CF3、直鎖もしくは分枝鎖C1〜C7アルキル、-N(R4)2、-OR4、-COR4、-NCOR4、-CO2R4または-CON(R4)2のうちの１つ以上で任意に置換されている、請求項７記載の使用。
【請求項９】
Aがアリールまたはヘテロアリールである、請求項６記載の使用。
【請求項１０】
記憶機能障害に苦しむ被験体を治療するための医薬の製造における、構造:
2009518431.tif 000005
式中の各R24は、独立して、以下：H、F、Cl、Br、I、CF3またはOCH3のうちの１つ以上である;
式中のR25は、メチル、エチル、アリルまたはフェニルであり、該フェニルは、F、Cl、Br、CF3またはOR4で任意に置換されている；および
式中の各R4は、独立して、-H；直鎖もしくは分枝鎖C1〜C7アルキル、モノフルオロアルキルもしくはポリフルオロアルキル；直鎖もしくは分枝鎖C2〜C7アルケニルもしくはアルキニル；C3〜C7シクロアルキル、C5〜C7シクロアルケニル、アリールもしくはアリール(C1〜C6)アルキルである、
を有する化合物の使用。
【請求項１１】
記憶機能障害が、精神医学的障害、精神病性障害、神経学的障害または神経症性障害と関連している、請求項１〜１０いずれか記載の使用。
【請求項１２】
記憶機能障害が中枢神経系の障害、好ましくは加齢関連記憶障害、軽度の認知機能障害、アルツハイマー病またはパーキンソン病と関連している、請求項１〜１０いずれか記載の使用。
【請求項１３】
記憶機能障害が、頭部外傷、脳の損傷、脳血管疾患、注意欠陥障害または情動障害と関連している、請求項１〜１０いずれか記載の使用。
【請求項１４】
精神病性障害が統合失調症である、請求項１１記載の使用。
【請求項１５】
脳血管疾患が血管性認知症である、請求項１３記載の使用。
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
（Ａ）芳香族ポリカーボネートおよび／またはポリエステルカーボネート、
（Ｂ）第１グラフトポリマー、
（Ｃ）第２グラフトポリマー、
（Ｄ）必要に応じて（コ）ポリマー、および
（Ｅ）必要に応じて防炎剤、
を含み、グラフトポリマーＢにおける遊離（コ）ポリマーの重量平均分子量が、グラフトポリマーＣにおける遊離（コ）ポリマーと（コ）ポリマーＤとの混合物の重量平均分子量と比較して、少なくとも３２０００ｇ／ｍｏｌ低い、組成物。
【請求項２】
（Ａ）２５〜８５重量部の芳香族ポリカーボネートおよび／またはポリエステルカーボネート、
（Ｂ）１〜６０重量部の第１ゴム変性グラフトポリマー、
（Ｃ）１〜６０重量部の第２ゴム変性グラフトポリマー、
（Ｄ）０〜４０重量部の（コ）ポリマー、および
（Ｅ）０〜３０重量部の防炎剤
を含み、グラフトポリマーＢにおける遊離（コ）ポリマーの重量平均分子量が、グラフトポリマーＣにおける遊離（コ）ポリマーと（コ）ポリマーＤとの混合物の重量平均分子量と比較して、少なくとも３２０００ｇ／ｍｏｌ低い、請求項１に記載の組成物。
【請求項３】
以下の成分（Ｂ．２）における（Ｂ．１）のグラフトポリマー（Ｂ）を含み、
（Ｂ．１）  成分Ｂに基づいて、５〜９５重量％の以下の成分（Ｂ．１．１）と（Ｂ．１．２）との混合物：
（Ｂ．１．１）  ビニル芳香族、核置換ビニル芳香族およびメタクリル酸（Ｃ１−Ｃ８）アルキルエステルからなる群から選択される、（Ｂ．１）に基づいて、６５〜８５重量％の少なくとも１つのモノマー、
（Ｂ．１．２）  ビニルシアニド、（メタ）アクリル酸（Ｃ１−Ｃ８）アルキルエステルおよび不飽和カルボン酸誘導体からなる群から選択される、（Ｂ．１）に基づいて、１５〜３５重量％の少なくとも１つのモノマー、
（Ｂ．２）  ０℃未満のガラス転移温度を有する９５〜５重量％の少なくとも１つのグラフトベースであって、該グラフトベース（Ｂ．２）が０．０５〜１０μｍの平均粒径（ｄ５０値）を有する、
請求項２に記載の組成物。
【請求項４】
以下の成分（Ｃ．２）における（Ｃ．１）のグラフトポリマー（Ｃ）を含み、
（Ｃ．１）  成分Ｃに基づいて、５〜９５重量％の以下の成分（Ｃ．１．１）と（Ｃ．１．２）との混合物：
（Ｃ．１．１）  ビニル芳香族、核置換ビニル芳香族およびメタクリル酸（Ｃ１−Ｃ８）アルキルエステルからなる群から選択される、（Ｃ．１）に基づいて、６５〜８５重量％の少なくとも１つのモノマー、
（Ｃ．１．２）  ビニルシアニド、（メタ）アクリル酸（Ｃ１−Ｃ８）アルキルエステルおよび不飽和カルボン酸誘導体からなる群から選択される、（Ｃ．１）に基づいて、１５〜３５重量％の少なくとも１つのモノマー、
（Ｃ．２）  ０℃未満のガラス転移温度を有する９５〜５重量％の少なくとも１つのグラフトベースであって、該グラフトベース（Ｃ．２）が０．０５〜１０μｍの平均粒径（ｄ５０値）を有する、
請求項３に記載の組成物。
【請求項５】
（Ｂ）および（Ｃ）からなる群から選択される少なくとも１つのグラフトポリマーおよび成分Ｄまたは成分Ｄの一部分が予備配合物の形態で用いられる、請求項１〜４のいずれか１項に記載の組成物。
【請求項６】
エマルジョン重合法で調製される成分Ｃのグラフトポリマーおよび成分Ｄのコポリマーの予備配合物を用いる、請求項５記載の組成物。
【請求項７】
成形品を製造するための請求項１〜６のいずれか１項に記載の組成物の使用。
【請求項８】
請求項１〜６のいずれか１項に記載の組成物を含む成形品。
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
Ａ）芳香族ポリカーボネートおよび／またはポリエステルカーボネート、１０〜９０重量部、
Ｂ）ゴム変性グラフトポリマー（Ｂ．１）またはゴム変性グラフトポリマー（Ｂ．１）と（コ）ポリマー（Ｂ．２）とのプレコンパウンド、または（コ）ポリマー（Ｂ．２）の、該ゴム変性グラフトポリマー（Ｂ．１）および該ゴム変性グラフトポリマーと（コ）ポリマー（Ｂ．２）とのプレコンパウンドの群から選択される少なくとも一種類のポリマーとの混合物、１０〜９０重量部、並びに
Ｃ）少なくとも一種類の脂肪族および／または芳香族有機カルボン酸、成分ＡおよびＢの合計１００重量部に基づいて、０．００５〜０．１５重量部
を含む熱可塑性成形組成物であって、成分Ｃを成分ＡおよびＢを含む溶融物に混合するか、または第一工程において成分Ｂを最初に成分Ｃと予備混合し、次に、第二工程において、生じるＢとＣとの混合物を、成分Ａを含む溶融物と混合する、熱可塑性成形組成物。
【請求項２】
該成分の混合を温度２００〜３００℃において５００ｍｂａｒ以下の圧力のもと、市販の配合ユニット中で行うことを特徴とする、請求項１に記載の組成物の製造方法。
【請求項３】
請求項１に記載の熱可塑性成形組成物の造形品の製造への使用。
【請求項４】
請求項１に記載の組成物を含む造形品。
【手続補正書】
【提出日】平成22年1月4日(2010.1.4)
【手続補正１】
【補正対象書類名】特許請求の範囲
【補正対象項目名】全文
【補正方法】変更
【補正の内容】
【特許請求の範囲】
【請求項１】
アジュバントまたは免疫‐刺激因子としての二本鎖リボヌクレオチド核酸（ｄｓＲＮＡ）と免疫誘発量の抗ウイルスワクチンとを調和よく組合わせてなる、急性または慢性ウイルス感染に対するワクチン保護を促進するための医薬。
【請求項２】
ｄｓＲＮＡと抗ウイルスワクチンを組み合わせた一つの混合物として投与するように配合された、請求項１に記載の医薬。
【請求項３】
ｄｓＲＮＡと抗ウイルスワクチンが、実質的に同時に、または連続して投与される、請求項１に記載の医薬。
【請求項４】
ウイルス粒子構造の突然変異による変化または分子再配列により証明される、抗原性連続変異または不連続変異に付随するウイルス‐誘発病変からトリインフルエンザウイルスに感受性のある動物または動物細胞を保護するために、抗トリインフルエンザワクチンへの暴露前、暴露中、または暴露後に、動物または動物細胞をミスマッチｄｓＲＮＡに暴露するように用いられる、請求項１に記載の医薬。
【請求項５】
急性または慢性トリインフルエンザ感染に対するワクチン保護を促進するための、ｄｓＲＮＡと免疫誘発量のトリインフルエンザ以外の抗ウイルスワクチンとを調和よく組み合わせてなる、請求項１に記載の医薬。
【請求項６】
ｄｓＲＮＡと抗ウイルスワクチンを組み合わせた一つの混合物として投与するように配合された、請求項５に記載の医薬。
【請求項７】
トリインフルエンザウイルスに感受性のある動物または動物細胞を保護するために、抗トリインフルエンザワクチン以外のインフルエンザワクチンへの暴露前、暴露中、または暴露後に、該動物または動物細胞をミスマッチｄｓＲＮＡに暴露するように用いられる、請求項１に記載の医薬。
【請求項８】
抗ウィルスワクチンが標準季節性三価インフルエンザワクチンを含む、請求項１〜３のいずれかに記載の医薬。
【請求項９】
ｄｓＲＮＡがミスマッチｄｓＲＮＡである、請求項１〜３、５〜６及び８のいずれかに記載の医薬。
【請求項１０】
ミスマッチｄｓＲＮＡが一般式ｒＩｎ・ｒ（Ｃ１１〜１４、Ｕ）ｎからなるものである、請求項４、７及び９のいずれかに記載の医薬。
【請求項１１】
ミスマッチｄｓＲＮＡが一般式ｒＩｎ・ｒ（Ｃ１２、Ｕ）ｎからなるものである、請求項４、７及び９のいずれかに記載の医薬。
【請求項１２】
ミスマッチｄｓＲＮＡが付加的にＲＮＡ‐安定化ポリマーと複合体を形成する、請求項４、７及び９〜１１のいずれかに記載の医薬。
【請求項１３】
前記ポリマーがリシンセルロースである、請求項１２に記載の医薬。
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
患者における癌の治療のための医薬を製造するための、抗癌薬にコンジュゲートされたポリ（アミノ酸）ポリマーを含むコンジュゲートの使用であって、前記癌がエストロゲン受容体を有する癌細胞の存在によって特徴付けられるか、または前記癌がエストロゲン受容体を有する細胞を含有する組織または臓器で発生し、前記患者が血清中または血漿中に約３０〜約１０００ピコグラム／ミリリットルの範囲のエストロゲンレベルを有すると識別される使用。
【請求項２】
前記患者が女性である、請求項１に記載の使用。
【請求項３】
前記女性が５５歳未満である、請求項２に記載の使用。
【請求項４】
前記患者がホルモン補充療法を受けている閉経後の女性である、請求項２に記載の使用。
【請求項５】
前記患者がホルモン補充療法を受けている男性である、請求項１に記載の使用。
【請求項６】
前記患者が抗アンドロゲン療法を受けている男性である、請求項１に記載の使用。
【請求項７】
患者における癌の治療のための医薬を製造するための、抗癌薬にコンジュゲートされたポリ（アミノ酸）ポリマーを含むコンジュゲートの使用であって、前記癌がエストロゲン受容体を有する癌細胞の存在によって特徴付けられるか、または前記癌がエストロゲン受容体を有する細胞を含有する組織または臓器で発生し、前記患者が血清中または血漿中に約３０ピコグラム／ミリリットル未満のエストロゲンレベルを有すると識別される使用。
【請求項８】
前記治療がエストロゲン療法をさらに含む、請求項７に記載の使用。
【請求項９】
前記患者が男性である、請求項７または８に記載の使用。
【請求項１０】
前記患者が女性である、請求項７または８に記載の使用。
【請求項１１】
前記女性が少なくとも５５歳である、請求項１０に記載の使用。
【請求項１２】
前記ポリ（アミノ酸）ポリマーがポリ（グルタミン酸）である、請求項１〜１１のいずれかに記載の方法。
【請求項１３】
前記抗癌薬がタキサンである、請求項１〜１２のいずれかに記載の使用。
【請求項１４】
前記抗癌薬がパクリタキセルである、請求項１３に記載の使用。
【請求項１５】
前記抗癌薬がパクリタキセルであり、前記ポリマーがポリ（グルタミン酸）を含む、請求項１〜１１のいずれかに記載の使用。
【請求項１６】
前記コンジュゲートがＰＰＸを含む、請求項１５に記載の使用。
【請求項１７】
前記コンジュゲートが約１７５〜約２５０ｍｇ／ｍ２パクリタキセル当量の量である、請求項１６に記載の使用。
【請求項１８】
前記医薬が静脈内送達用である、請求項１〜１７のいずれかに記載の使用。
【請求項１９】
前記癌が肺癌である、請求項１〜１８のいずれかに記載の使用。
【請求項２０】
前記肺癌が非小細胞肺癌である、請求項１９に記載の使用。
【請求項２１】
エストラジオールレベルに基づいて癌の治療レジメンを選択するための方法であって、
癌患者から得られた血清サンプル中または血漿サンプル中のエストロゲンレベルが、血清中または血漿中で約３０〜約１０００ピコグラム／ミリリットルの範囲内、または血清中または血漿中で約３０ピコグラム／ミリリットル未満であるかどうかを判定するステップを含み、約３０〜約１０００ピコグラム／ミリリットルの範囲内のエストロゲンレベルが、ポリグルタメートにコンジュゲートされたパクリタキセルによる治療が非コンジュゲートパクリタキセルよりも有効であることを示し、約３０ピコグラム／ミリリットル未満のエストロゲンレベルが、ポリグルタメートにコンジュゲートされたパクリタキセルを用いた治療が非コンジュゲートパクリタキセルよりも有効でないことを示す方法。
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
脂質ベースの組成物中に被包された型の抗感染薬及び遊離型抗感染薬からなる吸入投与用医薬調合物
【請求項２】
肺感染症を治療する又は予防を提供するシステムであって：
ａ）遊離型抗感染薬と、脂質ベースの組成物に被包された型の抗感染薬の混合物を含む医薬調合物であって、遊離型抗感染薬の量は即時の殺菌活性を提供するのに必要な量であり、そして被包された型の抗感染薬の量は、持続的殺菌活性を提供すると共に、感染性物質の耐性株の発生を減らすために充分な量である、医薬調合物と；
ｂ）吸入用送達器具と
を含む、システム。
【請求項３】
前記抗感染薬が抗生剤、抗ウィルス剤、及び抗カビ剤から成る群より選択される、請求項２に記載のシステム。
【請求項４】
前記抗感染薬が、セファロスポリン、キノロン、フルオロキノロン、ペニシリン、ベータラクタマーゼ阻害剤、カルベペネム、モノバクタム、マクロライド、リンコサミン、グリコペプチド、リファンピン、オキサゾリドノン、テトラサイクリン、アミノグリコシド、ストレプトグラミン、及びスルホンアミドから成る群より選択される抗生剤である、請求項２に記載のシステム。
【請求項５】
前記抗感染薬がアミノグリコシドである、請求項２に記載のシステム。
【請求項６】
前記抗感染薬がアミカシンである、請求項２に記載のシステム。
【請求項７】
前記抗感染薬がゲンタマイシンである、請求項２に記載のシステム。
【請求項８】
前記抗感染薬がトブラマイシンである、請求項２に記載のシステム。
【請求項９】
前記脂質ベースの組成物がリポソームである、請求項２に記載のシステム。
【請求項１０】
前記リポソームが単層ベシクル及び多層ベシクルの混合物を含む、請求項９に記載のシステム。
【請求項１１】
前記リポソームがホスホリピド及びステロールを含む、請求項９に記載のシステム。
【請求項１２】
前記リポソームがホスファチジルコリン及びステロールを含む、請求項９に記載のシステム。
【請求項１３】
前記リポソームがジパルミトイルホスファチジルコリン（DPPC）及びステロールを含む、請求項９に記載のシステム。
【請求項１４】
前記リポソームがジパルミトイルホスファチジルコリン（DPPC）及びコレステロールを含む、請求項９に記載のシステム。
【請求項１５】
前記抗感染薬がアミノグリコシドであり、前記リポソームがＤＰＰＣ及びコレステロールを含む、請求項９に記載のシステム。
【請求項１６】
前記抗感染薬がアミカシンであり、前記リポソームがＤＰＰＣ及びコレステロールを含み、そして前記リポソームが単層ベシクル及び多層ベシクルの混合物を含む、請求項９に記載のシステム。
【請求項１７】
遊離型抗感染薬、対、脂質ベースの組成物中に被包された型の抗感染薬の重量比が約1:100 乃至約100:1の間である、請求項２に記載のシステム。
【請求項１８】
遊離型抗感染薬、対、脂質ベースの組成物中に被包された型の抗感染薬の重量比が約 1:10 乃至約 10:1の間である、請求項２に記載のシステム。
【請求項１９】
遊離型抗感染薬、対、脂質ベースの組成物中に被包された型の抗感染薬の重量比が約1:2 乃至約
2:1の間である、請求項２に記載のシステム。
【請求項２０】
前記肺感染症が、嚢胞性線維症、慢性閉塞性肺疾患（ＣＯＰＤ）、気管支拡張症、アクテリアル（原語：acterial）肺炎、及び、慢性気管支炎の急性気管支増悪（ＡＢＥＣＢ）、結核菌、生物テロの吸入性物質により引き起こされる感染症、及び日和見性真菌感染から成る群より選択される、請求項２に記載のシステム。